(57)【要約】【課題】  モアレの視覚的変化が無限に起こり、しかもその変化のために、必ずしもバッテリー（電源）は必要のないディスプレー装置（10）を提供すること。【解決手段】  各々横方向に延びる上側支持部（14）および下側支持部（16）と、上端が上側支持部（14）によって保持され、かつ下端が下側支持部（16）によって保持されてなる掲示用布帛（18）を備えたディスプレイ装置（10）であって、掲示用布帛（18）は、互いに重ね合わされた第１織布（18ａ）と第２織布（18ｂ）を具備してなり、これら織布は光透過性の高い薄布からなり、かつ少なくとも第１織布（18ａ）より背面側に位置する第２織布（18ｂ）は光沢性を具備してなり、空気の流れや風圧など外部からの力を受けて少なくとも１枚の織布が動くことにより、両織布（18ａ）（18ｂ）が重ね合された状態において発生するモアレの形状が逐次変化するようにした。【選択図】    図２
2005242244.tif 000002
【特許請求の範囲】
【請求項１】
横方向に延びる上側支持部と、
前記上側支持部から吊り下げられた掲示用布帛を備えたディスプレイ装置であって、
前記掲示用布帛は、互いに重ね合わされた第１の織布と第２の織布を具備してなり、
前記織布は、経糸および緯糸の太さが２．５〜８．５テックスで、開口率３０〜９０％の光透過性の高い薄布からなり、かつ少なくとも第１の織布より背面側に位置する第２の織布は光沢性を具備してなり、
空気の流れなどの外圧を受けて少なくとも１枚の織布が動くことにより、前記２枚の織布が重ね合された状態において発生するモアレの形状が、逐次変化するようにしたことを特徴とするディスプレー装置。
【請求項２】
各々横方向に延びる上側支持部および下側支持部と、
上端が前記上側支持部によって保持され、かつ下端が前記下側支持部によって保持されてなる掲示用布帛を備えたディスプレイ装置であって、
前記掲示用布帛は、互いに重ね合わされた第１の織布と第２の織布を具備してなり、
前記織布は、経糸および緯糸の太さが２．５〜８．５テックスで、開口率３０〜９０％の光透過性の高い薄布からなり、かつ少なくとも第１の織布より背面側に位置する第２の織布は光沢性を具備してなり、
空気の流れなどの外圧を受けて少なくとも１枚の織布が動くことにより、前記２枚の織布が重ね合された状態において発生するモアレの形状が、逐次変化するようにしたことを特徴とするディスプレー装置。
【請求項３】
前記織布が、平織および／または紗織によって形成されたものであることを特徴とする請求項１または２に記載のディスプレー装置。
【請求項４】
前記第１の織布と第２の織布における互いに相対向する位置に、所望の同じ形状が各々プリントされていることを特徴とする請求項１〜３のいずれか１項に記載のディスプレー装置。
【請求項５】
前記上側支持部が筒状をなし、またその周面に長手方向に延びるスリットが設けられ、
前記スリットを上に向けた状態で、前記第１の織布の上端部は、前記上側支持部の前側から前記スリットに挿入され、また
第２の織布の上端部は、前記上側支持部の後側から前記スリットに挿入され、これにより第１の織布および第２の織布のそれぞれが前記上側支持部に保持されてなるとともに、第１の織布と第２の織布を、筒状をなす前記上側支持部の奥行き寸法だけ離して設置できるようにしたことを特徴とする請求項１〜４のいずれか１項に記載のディスプレー装置。
【発明の詳細な説明】
【技術分野】
【０００１】
本発明はディスプレー装置に関し、詳しくは表面の模様に視覚的変化をもたせることによって人目に付きやすくした（アイキャッチ効果に優れた）ディスプレー装置に関する。
【背景技術】
【０００２】
従来、いわゆる“モアレ形状”に似せた模様をモータの駆動により動かし、正面からの眺めに視覚的変化をもたせたディスプレー装置があった（例えば、特許文献１参照）。
【特許文献１】特開平７−２１０１００号公報
【発明の開示】
【発明が解決しようとする課題】
【０００３】
しかしながら、上記の公報に開示された装置におけるモアレは、あくまで人為的に描かれた所定形状のモアレ（モアレ似形状）であり、これが描かれたシート状物をモータを駆動させて回動させることにより、確かに視覚的変化は生じるが、変化の周期化、つまりパターン化しているという点は否めない。また、視覚的変化のためにはモーターを駆動させ、前記シートを回転させる必要があるため、バッテリーは必須であった。
【０００４】
本発明のディスプレー装置における解決しようとする課題は、モアレの視覚的な変化が無限に起こり、それ故にアイキャッチ効果が著しく向上し、しかもそのモアレの視覚的変化のために、必ずしもバッテリー（電源）は必要のないディスプレー装置を提供するところにある。
【課題を解決するための手段】
【０００５】
請求項１記載のディスプレー装置は、横方向に延びる上側支持部と、前記上側支持部から吊り下げられた掲示用布帛を備えたディスプレイ装置であって、前記掲示用布帛は、互いに重ね合わされた第１の織布と第２の織布を具備してなり、前記織布は、経糸および緯糸の太さが２．５〜８．５テックスで、開口率３０〜９０％の光透過性の高い薄布からなり、かつ少なくとも第１の織布より背面側に位置する第２の織布は光沢性を具備してなり、空気の流れなどの外圧を受けて少なくとも１枚の織布が動くことにより、前記２枚の織布が重ね合された状態において発生するモアレの形状が、逐次変化するようにしたことを特徴とする。
【０００６】
請求項２記載のディスプレー装置は、各々横方向に延びる上側支持部および下側支持部と、上端が前記上側支持部によって保持され、かつ下端が前記下側支持部によって保持されてなる掲示用布帛を備えたディスプレイ装置であって、前記掲示用布帛は、互いに重ね合わされた第１の織布と第２の織布を具備してなり、前記織布は、経糸および緯糸の太さが２．５〜８．５テックスで、開口率３０〜９０％の光透過性の高い薄布からなり、かつ少なくとも第１の織布より背面側に位置する第２の織布は光沢性を具備してなり、空気の流れなどの外圧を受けて少なくとも１枚の織布が動くことにより、前記２枚の織布が重ね合された状態において発生するモアレの形状が、逐次変化するようにしたことを特徴とする。
【０００７】
請求項３記載のディスプレー装置は、請求項１または２に記載のディスプレー装置において、前記織布が、平織および／または紗織によって形成されたものであることを特徴とする。
【０００８】
請求項４記載のディスプレー装置は、請求項１〜３のいずれか１項に記載のディスプレー装置において、前記第１の織布と第２の織布における互いに相対向する位置に、所望の同じ形状が各々プリントされていることを特徴とする。
【０００９】
請求項５記載のディスプレー装置は、請求項１〜４のいずれか１項に記載のディスプレー装置において、前記上側支持部が筒状をなし、またその周面に長手方向に延びるスリットが設けられ、前記スリットを上に向けた状態で、前記第１の織布の上端部は、前記上側支持部の前側から前記スリットに挿入され、また第２の織布の上端部は、前記上側支持部の後側から前記スリットに挿入され、これにより第１の織布および第２の織布のそれぞれが前記上側支持部に保持されてなるとともに、第１の織布と第２の織布を、筒状をなす前記上側支持部の奥行き寸法だけ離して設置できるようにしたことを特徴とする。
【発明の効果】
【００１０】
請求項１記載のディスプレー装置にあっては、経糸および緯糸の太さが２．５〜８．５テックス（２５デシテックス〜８５デシテックス）、開口率３０〜９０％の光透過性の高い薄布によって掲示用布帛が構成され、かつ少なくとも第２の織布は光沢性を具備していることから、モアレが顕著に発現するといった作用効果を奏する。したがって、意匠的効果に優れ、人目に付きやすい（アイキャッチ効果に優れた）ディスプレー装置を提供することができる。
【００１１】
のみならず、空気の流れや風圧あるいは人為的（機械的）操作によって、外部からの力が少なくとも１枚の織布に及ぼされることにより、前記２枚の織布が重ね合された状態において発生するモアレの形状が逐次変化し、しかもその変化した形状は無限であるので、意匠的効果がより一層顕著となり、当該掲示用布帛に記された広告やメッセージが、より人目に付きやすくなる。
【００１２】
請求項２に記載のディスプレー装置は、請求項１記載のディスプレー装置における作用効果に加え、次のような作用効果を奏する。すなわち、２枚の織布が重なり合って形成されるモアレ現象は、両方の織布の間隙が離れすぎると消えてしまい、ある程度近接した距離を保つ必要がある。請求項２記載のディスプレー装置は、上端が上側支持部によって保持され、かつ下端が下側支持部によって保持されているので、空気の流れや風圧など外部からの力が織布にかかっても、いずれか一方あるいは両方の織布がめくれ上がって両者間に距離的に大きな隔たりが生じるおそれがなく、モアレの消失を防ぐことができる。
【００１３】
また、掲示用布帛を、構成する２枚の織布の上下両端（上下両端のみ）で以て保持することにより、前記２枚の織布間に空気が入って（モアレ形成に支障のない範囲で）やや膨みを持たせた状態を作ることができ、これを意匠的効果にプラスすることができる。
【００１４】
請求項３に記載のディスプレー装置は、請求項１および２記載の装置における作用効果に加え、次のような作用効果を奏する。すなわち、太さが２．５〜８．５テックスの経糸および緯糸を用いて平織および／または紗織された織布を用いるので、モアレがより現象し易い厚み（５０μｍ〜２００μｍ）織布を備えた掲示用布帛を容易に得ることができ、ディスプレー装置としてより一層効果的である。また、掲示用布帛を大きく（広く）しても、さほど重くならず、前記掲示用布帛を吊り下げる上側支持部の材質が限られてしまうという心配もない。
【００１５】
請求項４に記載のディスプレー装置は、請求項１〜３のいずれか１項に記載の装置における作用効果に加え、次のような作用効果を奏する。すなわち、互いに光透過性の高い（開口度の高い）第１の織布と第２の織布における相対向する位置に同じ形状（模様）が各々プリントされているので、これらの形状（模様）が少し位置ズレを起こした状態を正面から見れば、あたかも３Ｄの立体画像であるかのような錯覚を看者に与える。これにより、当該ディスプレー装置をより一層効果的に人の目に付きやすくできる。
【００１６】
請求項５に記載のディスプレー装置は、請求項１〜４のいずれか１項に記載の装置における作用効果に加え、次のような作用効果を奏する。すなわち、モアレの発生は、第１の織布と第２の織布をある程度寸法的に（距離的に）離す必要がある。請求項５に記載のディスプレー装置は、第１の織布と第２の織布をスリットを備えた上側支持部の大きさ（奥行き寸法）だけ離して設置できるようにしたので、寸法の異なる上側支持部を使用することで、発生するモアレの形状を種々変更可能となる。
【００１７】
下側支持部に対する織布の保持を同様にすれば、寸法の異なる下側支持部を使用することでモアレの形状を種々変更可能となるという点で、より一層効果的である。
【発明を実施するための最良の形態】
【００１８】
織布
［経糸・緯糸］
本発明のディスプレー装置における織布の糸の太さは、モアレ発現を顕著、かつ美麗にするために２．５テックス〜８．５テックス（２５デシテックス〜８５デシテックス）である必要がある。２．５テックス未満であれば、モアレ発現が顕著とならないばかりか、強度不足となる可能性がある。また８．５テックスを超える場合、モアレ発現を顕著とすべく開口率を上げるために糸の本数を少なくする必要があり、これによりやはり強度不足となるばかりか、美麗なモアレは期待できない可能性がある。より好ましくは（より顕著にかつ美麗なモアレを発現させる範囲は）２．５〜６．５テックスであり、さらに好ましくは２．５〜４．５テックスである。
【００１９】
［開口率（％）：１００−繊維占有率］
また、モアレ発現を顕著とするため、光透過性を高くする必要があり、織布の開口率を３０〜９０％とする必要がある。より好ましくは（より顕著にモアレを発現させる範囲は）４０〜８０％であり、さらに好ましくは５０〜７０％である。
【００２０】
なお、開口率（％）は繊維占有率を１００から減した値であり、繊維占有率（％）は、地組織を構成する繊維が占める面積比率をいう。すなわち１インチ四方（６．４５ｃｍ２）当たりの地組織を構成する繊維が占める面積比率として示せば繊維占有率は下記の式によって算出される。
【数１】
2005242244.tif 000003
【００２１】
Ｎ：１インチ四方内を構成する繊維種毎の糸本数（本／６．４５ｃｍ２）
ｄ：構成する繊維種毎の糸の直径（太さ、ｃｍ）
ｄ’：地組織中の交叉点における他の糸の直径（太さ、ｃｍ）
Ｌ：１インチ四方内の構成する繊維種毎の１本の糸の長さ（ｃｍ）…糸が直交している場合は２．５４である。糸が湾曲している場合は１インチ間にある繊維長を測定してその値をとる
ｎ：１インチ四方内の交叉点の数
Σ：経糸・緯糸など使用する糸の種類毎に計算し、それを合計する。
【００２２】
［織方法］
織布を得る方法（織成方法）としては、平織、紗織、絡み織、オーガンジーなどが挙げられる。なかでも、製造が容易で、かつ最終的に得られる織布の単位面積あたりの重量が比較的軽量なため空気の流れや風圧など外部からの力によって揺れ動き易くなり、２枚重ねることによって発現するモアレ現象が当該外部からの力によって逐次変化し易くなるという理由で、平織および／または紗織による織布であることが好適である。
【００２３】
また、２枚のうちのいずれか一方を平織による織布とし、他方を紗織による織布とすることもできるが、モアレ現象の効果的な発生（モアレの多様性）を考えると２枚とも紗織による織布であることが最適である。
【００２４】
［織布の色］
第１および第２の織布の色は、黒色、濃茶色、濃灰色、褐色、群青色等の暗色系でも、あるいは白色、黄色、淡緑、淡青などの明色系でも構わないが、どちらかと言えば、発現するモアレが綺麗に映えるという点で、黒色や濃灰色などの暗色系の色であることが好ましい。
【実施例】
【００２５】
以下、本発明のディスプレー装置の一実施例を挙げて説明するが、本発明はこれによって限定されるものではない。
【００２６】
図１は、ディスプレー装置（10）の斜視図であり、図２はその分解斜視図である。ディスプレー装置（10）は、両端に把持部（12ａ）を有する吊下げ用の紐（12）を備えた上側支持部（14）、下側支持部（16）、及び縦長の形状をなす掲示用布帛（18）からなる。
【００２７】
上側支持部（14）および下側支持部（16）は、それぞれ合成樹脂製あるいは金属製のパイプなどの円筒状物からなり、その周面には掲示用布帛（18）を挟み込むためのスリット（15）が長手方向に設けられている。
【００２８】
掲示用布帛（18）は、いずれも紗織によって得られ、互いに重ね合わされた３枚の織布（手前側から、第１織布（18ａ）、第２織布（18ｂ）、第３織布（18ｃ））からなる。
【００２９】
第１織布（18ａ）と第２織布（18ｂ）は、黒色や濃茶色などの暗色系の経糸および緯糸によって織成されたもので、経糸および緯糸の太さは、およそ３テックス（３０デシテックス）であり、開口率（１００−繊維占有率）はおよそ６０％、また厚みはおよそ７０μｍであるが、これによって限定されるものではない。いずれの織布（18ａ）（18ｂ）も光沢性を備えたポリエステル生地、アセテート生地あるいはテフロン生地（テフロンはデュポン社の登録商標。ポリテトラフルオロエチレン）からなり、第１織布（18ａ）と第２織布（18ｂ）における互いに相対向する位置に、所望の同じデザイン（形状）が各々プリント（スクリーン印刷）されている。
【００３０】
第３織布（18ｃ）は、白色や黄色などの明色系の経糸および緯糸によって密に織成されたもので、第１織布（18ａ）および第２織布（18ｂ）に描かれたデザイン（形状）に相当する位置を外して、所望のメッセージが記されている。第３織布（18ｃ）の経糸および緯糸の太さはおよそ１５テックス（１５０デシテックス）であり、開口率は、およそ１０％であるが、これによって限定されるものではない。
【００３１】
これら３つの織布（第１織布（18ａ）〜第３織布（18ｃ））を前記した上側支持部（14）（14）および下側支持部（16）によって保持させる。３つの織布（第１織布（18ａ）〜第３織布（18ｃ））を上側支持部（14）および下側支持部（16）に保持させる方法を以下に説明する。
【００３２】
すなわち、図３に示すように、上側支持部（14）に設けたスリット（15）を上に向けた状態で、前記第１織布（18ａ）の上端部を前記上側支持部（14）の前側から前記スリット（15）に挿入して挟み込み（挟持せしめ）、また第２織布（18ｂ）の上端部は、前記上側支持部（14）の後側から前記スリット（15）に挿入して挟み込む（挟持せしめる）。これにより第１織布（18ａ）および第２織布（18ｂ）のそれぞれが前記上側支持部（14）に保持されてなるとともに、第１織布（18ａ）と第２織布（18ｂ）を前記上側支持部（14）の大きさ（奥行き寸法）分だけ離して設置できる。
【００３３】
また同様に、図４に示すように、下側支持部（16）に設けたスリット（15）を下に向けた状態で、前記第１織布（18ａ）の下端部を前記下側支持部（16）の前側から前記スリット（15）に挿入して挟み込み（挟持せしめ）、また第２織布（18ｂ）の下端部は、前記下側支持部（16）の後側から前記スリット（15）に挿入して挟み込む（挟持せしめる）。これにより第１織布（18ａ）および第２織布（18ｂ）のそれぞれが前記下側支持部（16）に保持されてなるとともに、第１織布（18ａ）と第２織布（18ｂ）を前記下側支持部（16）の大きさ（奥行き寸法）分だけ離して設置することができる。
【００３４】
当然のことながら、上側支持部（14）および／または下側支持部（16）の大きさ（太さ）を変えることにより、第１織布（18ａ）と第２織布（18ｂ）の間隔を変更することができ、発生するモアレの大きさ、形状を変更させることができる。
【００３５】
そして、吊下げ用の紐（12）で吊り下げる。これにより３枚の織布（18ａ）（18ｂ）（18ｃ）が互いに重ね合わされる。そして、この状態において第１織布（18ａ）と第２織布（18ｂ）によってモアレ現象が発現し、また開口率の高いこれら第１織布（18ａ）と第２織布（18ｂ）を透して（介して）第３織布（18ｃ）に記載されたメッセージが透き通って見える。ディスプレー装置（10）における掲示用布帛（18）にモアレが顕著に発現することから意匠的効果に優れ、人目に付きやすい（アイキャッチ効果に優れた）ディスプレー装置（10）となる。
【００３６】
ディスプレー装置（10）は吊り下げられた状態において、例えば空気の流れ（エアコンからの風や別途人為的に作った風、あるいはビル風を含めた自然な風）など外部からの力を受けて第１織布（18ａ）および／または第２織布（18ｂ）が動く。これにより、モアレの形状がその都度変化し、ディスプレー装置（10）へのアイキャッチ効果がより一層効果的となる。そして、メッセージの広報効果・広告効果・宣伝効果が顕著となる。
【００３７】
また、互いに光透過性の高い（開口度の高い）第１織布（18ａ）と第２織布（18ｂ）における相対向する位置に同じ形状（模様）が各々プリントされているので、これらのデザインが少し位置ズレを起こした状態を正面から見れば、当該形状（模様）があたかも３Ｄの立体画像であるかのような錯覚を看者に与える。これにより、当該ディスプレー装置（10）をより一層効果的に人の目に付きやすくできる。
【００３８】
上記した実施例のように、第１織布（18ａ）、第２織布（18ｂ）及び第３織布（18ｃ）からなる掲示用布帛（18）が縦長の形状をしていれば、次のような作用効果を奏するので好適である。すなわち、上側支持部（14）から吊り下げられた掲示用布帛（18）は、上下方向の複数の箇所における張力が相違する（自重の加わり方が相違するため）。そのため、第１織布（18ａ）と第２織布（18ｂ）によって形成されるモアレ現象もまた掲示用布帛（18）における上側の部分と下側の部分とで相違する。本実施例のように掲示用布帛（18）が縦長であれば、そのモアレ形状の差異も顕著となり、大きなモアレが出現する部分と小さなモアレが出現する部分とを意図的に作り出すことができ、この差を利用して、第３織布（18ｃ）に現すメッセージの位置を、効果的な位置となるように工夫することができる。
【産業上の利用可能性】
【００３９】
本発明のディスプレー装置は、例えば百貨店や商店での装飾を兼ねた宣伝や、展示会や催し物会場での案内などに用いることができる。
【図面の簡単な説明】
【００４０】
【図１】本発明の一実施例を示したディスプレー装置の斜視図である。
【図２】ディスプレー装置における掲示用布帛の分解斜視図である。
【図３】上側支持部に対する掲示用布帛の取り付け方（保持方法）を示す断面図である。
【図４】下側支持部に対する掲示用布帛の取り付け方（保持方法）を示す断面図である。
【符号の説明】
【００４１】
１０…ディスプレイ装置
１４…上側支持部
１５…スリット
１６…下側支持部
１８…掲示用布帛
１８ａ…第１織布
１８ｂ…第２織布
１８ｃ…第３織布
【図１】
2005242244.tif 000004
【図２】
2005242244.tif 000005
【図３】
2005242244.tif 000006
【図４】
2005242244.tif 000007